(57)【要約】【課題】撮影部が監視領域に露出している状態と撮影部が監視領域から遮蔽されている状態とを簡単な構成で変更できる監視カメラユニットを提供する。【解決手段】監視カメラユニット１は、監視領域を撮影するときの撮影位置と監視領域を撮影しないときの待機位置との間を移動可能な撮影部１０と、撮影部１０とともに移動するように撮影部１０と連結され、撮影部１０が撮影位置のときに撮影部１０による監視領域の撮影を可能とし、撮影部１０が待機位置のときに撮影部１０を監視領域から遮蔽する遮蔽部材３０と、遮蔽部材３０または撮影部１０を移動させることにより、撮影部１０を撮影位置と待機位置との間で移動させる駆動部２０とを備える。【選択図】図２
2018113590.tif 000002
【特許請求の範囲】
【請求項１】
監視領域を撮影するときの撮影位置と前記監視領域を撮影しないときの待機位置との間を移動可能な撮影部と、
前記撮影部とともに移動するように前記撮影部と連結され、前記撮影部が前記撮影位置のときに前記撮影部による前記監視領域の撮影を可能とし、前記撮影部が前記待機位置のときに前記撮影部を前記監視領域から遮蔽する遮蔽部材と、
前記遮蔽部材または前記撮影部を移動させることにより、前記撮影部を前記撮影位置と前記待機位置との間で移動させる駆動部とを備える
監視カメラユニット。
【請求項２】
前記駆動部は、前記遮蔽部材を移動させることにより、前記撮影部を前記撮影位置と前記待機位置との間で移動させる
請求項１に記載の監視カメラユニット。
【請求項３】
前記遮蔽部材は、前記撮影部の底面の全体を覆うように前記撮影部を支持している
請求項１または２に記載の監視カメラユニット。
【請求項４】
前記撮影部および前記駆動部の少なくとも一方を制御する制御部を備え、
前記制御部は、ダウンライトの取付金具に取り付け可能である
請求項１〜３のいずれか一項に記載の監視カメラユニット。
【請求項５】
前記撮影部および前記駆動部の少なくとも一方を制御する制御部と、前記制御部を支持する支持板とをさらに備え、
前記支持板は、天井の点検口に固定可能であり、
前記遮蔽部材は、前記撮影部が前記待機位置のときに前記支持板とともに前記点検口を閉じることが可能な形状である
請求項１〜３のいずれか一項に記載の監視カメラユニット。
【発明の詳細な説明】
【技術分野】
【０００１】
本発明は、監視領域を撮影可能な監視カメラユニットに関する。
【背景技術】
【０００２】
従来より、防犯等のために室内の領域である監視領域を撮影する監視カメラユニットが知られている。その一例である特許文献１に記載の監視カメラユニットは、室内の監視領域を撮影するときの撮影位置と監視領域を撮影しないときの待機位置との間を移動可能な撮影部と、撮影部を撮影位置と待機位置との間で移動させる第１の駆動部とを備える。この監視カメラユニットは、さらに、天井に形成された貫通孔を閉じる閉鎖位置とこの貫通孔を開放する開放位置との間を移動可能である遮蔽部材と、遮蔽部材を閉鎖位置と開放位置との間で移動させる第２の駆動部を備える。この監視カメラユニットは、例えば、ユーザーから監視領域を撮影する要求がないとき、第１の駆動部が撮影部を待機位置に移動させ、第２の駆動部が遮蔽部材を閉鎖位置に移動させることにより、天井の裏に位置した撮影部が監視領域から遮蔽される。
【先行技術文献】
【特許文献】
【０００３】
【特許文献１】特開平１１−２４２７８７号公報
【発明の概要】
【発明が解決しようとする課題】
【０００４】
上記監視カメラユニットは、撮影部の移動と遮蔽部材の移動とを複数の駆動部により実現しているため、構造が複雑となる。
本発明の目的は、撮影部が監視領域に露出している状態と撮影部が監視領域から遮蔽されている状態とを簡単な構成で変更できる監視カメラユニットを提供することである。
【課題を解決するための手段】
【０００５】
〔１〕本発明に従う監視カメラユニットの一形態は、監視領域を撮影するときの撮影位置と前記監視領域を撮影しないときの待機位置との間を移動可能な撮影部と、前記撮影部とともに移動するように前記撮影部と連結され、前記撮影部が前記撮影位置のときに前記撮影部による前記監視領域の撮影を可能とし、前記撮影部が前記待機位置のときに前記撮影部を前記監視領域から遮蔽する遮蔽部材と、前記遮蔽部材または前記撮影部を移動させることにより、前記撮影部を前記撮影位置と前記待機位置との間で移動させる駆動部とを備える。
【０００６】
上記監視カメラユニットによれば、１つの駆動部で遮蔽部材の移動と撮影部の移動とを実現できる。このため、撮影部が監視領域に露出している状態と撮影部が監視領域から遮蔽されている状態とをより簡単な構成で変更できる。
【０００７】
〔２〕前記監視カメラユニットの一例によれば、前記駆動部は、前記遮蔽部材を移動させることにより、前記撮影部を前記撮影位置と前記待機位置との間で移動させる。上記監視カメラユニットによれば、駆動部が撮影部を直接的に移動させる場合よりも、撮影部に大きな振動が伝わりにくい。このため、撮影部の耐久性が高められる。
【０００８】
〔３〕前記監視カメラユニットの一例によれば、前記遮蔽部材は、前記撮影部の底面の全体を覆うように前記撮影部を支持している。上記監視カメラユニットによれば、撮影部のより広い範囲が遮蔽部材により覆われるため、撮影部が待機位置のときに撮影部がより適切に監視領域から遮蔽されやすい。
【０００９】
〔４〕前記監視カメラユニットの一例によれば、前記撮影部および前記駆動部の少なくとも一方を制御する制御部を備え、前記制御部は、ダウンライトの取付金具に取り付け可能である。
【００１０】
上記監視カメラユニットによれば、ダウンライトの取付金具を利用して、天井の裏に制御部を配置することができる。このため、ダウンライトを配置するための天井の既存の構造を利用して、監視カメラユニットを配置することができる。
【００１１】
〔５〕前記監視カメラユニットの一例によれば、前記撮影部および前記駆動部の少なくとも一方を制御する制御部と、前記制御部を支持する支持板とをさらに備え、前記支持板は、天井の点検口に固定可能であり、前記遮蔽部材は、前記撮影部が前記待機位置のときに前記支持板とともに前記点検口を閉じることが可能な形状である。
【００１２】
上記監視カメラユニットによれば、天井の点検口を利用して、天井の裏に制御部を配置することができる。このため、天井の裏を点検するための天井の既存の構造を利用して、監視カメラユニットを配置することができる。
【発明の効果】
【００１３】
上記監視カメラユニットによれば、撮影部が監視領域に露出している状態と撮影部が監視領域から遮蔽されている状態とを簡単な構成で変更できる。
【図面の簡単な説明】
【００１４】
【図１】第１実施形態および第２実施形態の監視カメラユニットが配置される部屋の正面図。
【図２】図１の第１実施形態の監視カメラユニットの正面図。
【図３】図２の撮影部が待機位置のときの監視カメラユニットの側面図。
【図４】図２の撮影部が撮影位置のときの監視カメラユニットの側面図。
【図５】第２実施形態の監視カメラユニットの撮影部が待機位置のときの監視カメラユニットの斜視図。
【図６】図５の撮影部が撮影位置のときの監視カメラユニットの斜視図。
【発明を実施するための形態】
【００１５】
（第１実施形態）
図１は、監視カメラユニット１により撮影される部屋３００の室内領域である監視領域３００Ａを示している。監視カメラユニット１は、例えば、防犯の目的で設置され、部屋３００の天井３１０に形成されているダウンライト３３０の取付孔３２０を利用して天井３１０に取付可能な構造を有する。監視カメラユニット１は、複数の取付孔３２０のうちの１つの取付孔３２０を用いて配置される。なお、複数の取付孔３２０のうち、監視カメラユニット１が配置されていない取付孔３２０には、ダウンライト３３０が配置されている。
【００１６】
図２に示されるように、監視カメラユニット１は、監視領域３００Ａ（図１参照）を撮影するときの撮影位置と監視領域３００Ａを撮影しないときの待機位置との間を移動可能である撮影部１０と、撮影部１０を撮影位置と待機位置との間で移動させる駆動部２０とを備える。監視カメラユニット１は、さらに、撮影部１０と連結される遮蔽部材３０と、撮影部１０および駆動部２０を制御する制御部４０と、制御部４０を収容するハウジング５０と、駆動部２０およびハウジング５０が取り付けられる取付金具６０とを備える。監視カメラユニット１は、複数の吊下げ用寸切りボルト（図示略）により天井３１０の裏の梁（図示略）から吊り下げられている。
【００１７】
撮影部１０は、例えば、動画を撮影可能なドーム型のネットワークカメラであり、ケーブル（図示略）により制御部４０と電気的に接続されている。撮影部１０は、取付孔３２０を通過可能な大きさであり、図４に示される撮影位置において、全体が天井３１０の天井面３１０Ａよりも監視領域３００Ａ側に位置する。撮影部１０は、図２に示される待機位置において、全体が天井３１０の天井面３１０Ａよりも上側、すなわち、天井３１０の裏に位置する。
【００１８】
図３に示されるように、駆動部２０は、天井３１０に対して垂直に延びるリニアガイド２１と、リニアガイド２１に沿って移動するスライダー２２と、スライダー２２に挿入されるボールねじ２３と、ボールねじ２３に噛み合うナット２４と、ボールねじ２３と連結されるモータ２５とを含む。ボールねじ２３は、モータ２５の出力軸（図示略）と連結されている。ナット２４は、スライダー２２に接合されている。モータ２５は、ケーブル２６により制御部４０と電気的に接続されている。
【００１９】
駆動部２０は、モータ２５の出力軸が第１の方向に回転するとき、ボールねじ２３が第１の方向に回転して、ナット２４およびスライダー２２が天井３１０に接近する方向に移動する。駆動部２０は、モータ２５の出力軸が第２の方向に回転するとき、ボールねじ２３が第２の方向に回転して、ナット２４およびスライダー２２が天井３１０から離れる方向に移動する。
【００２０】
遮蔽部材３０は、スライダー２２と連結される連結部３１、および、連結部３１と繋がり撮影部１０を支持する遮蔽部３２を含む。
連結部３１は、天井３１０に対して垂直に延び、スライダー２２と複数のねじ（図示略）により連結されている。
【００２１】
遮蔽部３２は、連結部３１と一体的に形成され、撮影部１０の下面の全体を覆っている。遮蔽部３２は、例えば、天井面３１０Ａと同一の色および模様、または、天井面３１０Ａと類似する色および模様である。遮蔽部３２は、取付孔３２０の大部分を閉じることが可能な形状であり、待機位置における撮影部１０を監視領域３００Ａから遮蔽する。
【００２２】
制御部４０は、外部機器（図示略）と無線または有線により通信可能である。外部機器の一例は、例えば、ユーザーが所持しているパーソナルコンピュータまたはタブレット端末である。ユーザーの一例は、部屋３００を含む家屋の住人、または、部屋３００を含む家屋の警備を家屋の住人から委託されている警備会社である。
【００２３】
制御部４０は、外部機器から警備開始信号が入力されたことに基づき、駆動部２０を駆動させて、撮影部１０を待機位置から撮影位置に移動させ、撮影部１０に撮影開始信号を送信して撮影部１０に監視領域３００Ａの撮影を開始させる。制御部４０は、外部機器から警備終了信号が入力されたことに基づき、撮影部１０に撮影終了信号を送信して撮影部１０に監視領域３００Ａの撮影を終了させ、駆動部２０を駆動させて、撮影部１０を撮影位置から待機位置に移動させる。
【００２４】
図２および図３に示されるように、ハウジング５０は、制御部４０を収容するケース５１と、ヒンジ５０Ａおよびホック５０Ｂを介してケース５１に開閉可能に取り付けられたカバー５２とを含む。ケース５１はカバー５２により閉じられた状態で天井３１０の裏に配置される。ユーザーは、ケース５１に対してカバー５２を開くことにより制御部４０のメンテナンス等を行うことができる。
【００２５】
図２に示されるように、取付金具６０は、天井３１０に対して垂直に延びる基礎部６１、基礎部６１を支持する一対の支持部６２、および、一対の支持部６２の間に配置されるダウンライト取付部６３を含む。
【００２６】
基礎部６１の表面６１Ａには複数のねじ７１によりハウジング５０のケース５１が取り付けられている。基礎部６１の裏面６１Ｂ（図３参照）には、複数のねじ（図示略）により、駆動部２０のリニアガイド２１が取り付けられている。
【００２７】
一対の支持部６２は、複数のねじ（図示略）により、基礎部６１の底壁６１Ｃおよび天井３１０に取り付けられている。
ダウンライト取付部６３は、ダウンライト３３０（図１参照）が取付孔３２０に配置される場合にダウンライト３３０が取り付けられる金具である。ダウンライト取付部６３は、天井面３１０Ａと接触する露出部６３Ａ、および、露出部６３Ａと基礎部６１の底壁６１Ｃとを繋ぐ接続部６３Ｂを含む。
【００２８】
露出部６３Ａは、天井面３１０Ａから監視領域３００Ａに露出し、撮影部１０および遮蔽部材３０が通過可能な貫通孔６３Ｃが形成されている。
接続部６３Ｂは、露出部６３Ａと一体的に形成され、複数のねじ７２により、基礎部６１の底壁６１Ｃと接続されている。
【００２９】
図３および図４を参照して、監視カメラユニット１の動作について説明する。
撮影部１０が図３に示される待機位置において、制御部４０に警備開始信号が入力されたとき、制御部４０は駆動部２０のモータ２５の出力軸（図示略）を第１の方向に回転させる。モータ２５の出力軸が第１の方向に回転することにより、ボールねじ２３が第１の方向に回転して、ナット２４およびスライダー２２が天井３１０に接近する方向に移動し、スライダー２２と連結された遮蔽部材３０、および、撮影部１０が貫通孔６３Ｃおよび取付孔３２０を通過して下降する。
【００３０】
制御部４０は、予め設定されたモータ２５の駆動時間が経過した後、モータ２５の駆動を停止する。このため、撮影部１０は図４に示される撮影位置で停止する。その後、制御部４０は撮影部１０に撮影開始信号を送信し、撮影部１０は、監視領域３００Ａの撮影を開始する。
【００３１】
一方、撮影部１０が図４に示される撮影位置において、制御部４０に警備終了信号が入力されたとき、制御部４０は撮影部１０に撮影終了信号を送信し、撮影部１０が監視領域３００Ａの撮影を終了する。次に、制御部４０は、駆動部２０のモータ２５の出力軸（図示略）を第２の方向に回転させる。モータ２５の出力軸が第２の方向に回転することにより、ボールねじ２３が第２の方向に回転して、ナット２４およびスライダー２２が天井３１０から離間する方向に移動し、スライダー２２と連結された遮蔽部材３０および撮影部１０が貫通孔６３Ｃおよび取付孔３２０を通過して上昇する。
【００３２】
制御部４０は、予め設定されたモータ２５の駆動時間が経過した後、モータ２５の駆動を停止することにより、撮影部１０は図３に示される待機位置で停止する。
監視カメラユニット１の作用および効果について説明する。
【００３３】
図３に示されるように、撮影部１０の待機位置において遮蔽部材３０の遮蔽部３２は、取付孔３２０の大部分を閉じるため、撮影部１０は監視領域３００Ａから遮蔽される。このため、例えば、監視領域３００Ａを撮影しないときに、監視領域３００Ａ内に存在する人に監視カメラユニット１の存在が認識されにくく、不快感を与えにくい。さらに、監視領域３００Ａを含む部屋３００の意匠性が高められる。
【００３４】
また、１つの駆動部２０で遮蔽部材３０の移動と撮影部１０の移動とを実現できるため、撮影部１０が監視領域３００Ａに露出している状態と撮影部１０が監視領域３００Ａから遮蔽されている状態とをより簡単な構成で変更できる。
【００３５】
監視カメラユニット１によれば、さらに以下の効果が得られる。
（１）駆動部２０が撮影部１０を直接的に移動させる場合よりも、撮影部１０に大きな振動が伝わりにくい。このため、撮影部１０の耐久性が高められる。
【００３６】
（２）遮蔽部材３０の遮蔽部３２は、撮影部１０の底面の全体を覆うように撮影部１０を支持しているため、撮影部１０のより広い範囲が遮蔽部材３０により覆われる。このため、撮影部１０が待機位置のときに撮影部１０がより適切に監視領域３００Ａから遮蔽されやすい。
【００３７】
（３）撮影部１０は、待機位置において天井３１０の裏に存在し、かつ、天井３１０に形成された取付孔３２０が遮蔽部材３０により閉じられるため、監視領域３００Ａに存在する人に監視カメラユニット１が一層認識されにくい。
【００３８】
（４）ダウンライト３３０の取付金具であるダウンライト取付部６３を利用して、基礎部６１が配置されるため、天井３１０の裏に制御部４０を配置することができる。このため、ダウンライト３３０を配置するための既存の構造を利用して、監視カメラユニット１を配置することができる。
【００３９】
（５）遮蔽部材３０の遮蔽部３２の色が、天井面３１０Ａと同一の色および模様、または、天井面３１０Ａと類似する色であるため、撮影部１０が待機位置のときに、遮蔽部３２が監視領域３００Ａに存在する人に一層認識されにくい。
【００４０】
（第２実施形態）
図１、図５、および、図６を参照して、第２実施形態の監視カメラユニット２００について説明する。なお、第１実施形態と共通する構成については、第１実施形態と同一の符号を付してその説明を省略する。
【００４１】
図１に示される第２実施形態の監視カメラユニット２００は、天井３１０に形成される点検口４００を利用して天井３１０に取付可能な構造を有する。
図５に示されるように、監視カメラユニット２００は、監視領域３００Ａ（図１参照）を撮影するときの撮影位置と監視領域３００Ａを撮影しないときの待機位置との間を移動可能である撮影部２１０と、撮影部２１０を撮影位置と待機位置との間で移動させる駆動部２２０とを備える。監視カメラユニット１は、さらに、撮影部２１０と駆動部２２０とを連結する連結部２３０と、遮蔽部材３０を回転させる回転部２４０と、待機位置における撮影部１０を監視領域３００Ａから遮蔽する遮蔽部材２５０と、撮影部２１０および駆動部２２０を制御する制御部２６０と、駆動部２２０および制御部２６０を支持する支持板２７０とを備える。
【００４２】
撮影部２１０は、例えば、動画を撮影可能なドーム型のネットワークカメラであり、ケーブル２１１により制御部２６０と電気的に接続されている。撮影部２１０は、点検口４００を通過可能な大きさであり、図６に示される撮影位置において、全体が天井３１０の天井面３１０Ａよりも監視領域３００Ａ側に位置する。撮影部２１０は、図５に示される待機位置において、全体が天井３１０の天井面３１０Ａよりも上側、すなわち、天井３１０の裏に位置する。
【００４３】
駆動部２２０は、リニアガイド２２１と、リニアガイド２２１に沿って移動するスライダー２２２と、スライダー２２２に挿入されるボールねじ２２３と、ボールねじ２２３と噛み合うナット２２４と、ボールねじ２２３と連結されるモータ２２５とを含む。モータ２２５は、ケーブル２２６により制御部２６０と電気的に接続されている。駆動部２２０は、モータ２２５の出力軸（図示略）が第１の方向に回転するとき、ボールねじ２２３が第１の方向に回転して、ナット２２４およびスライダー２２２がモータ２２５に接近する方向に移動する。駆動部２２０は、モータ２２５の出力軸が第２の方向に回転するとき、ボールねじ２２３が第２の方向に回転して、ナット２２４およびスライダー２２２がモータ２２５から離れる方向に移動する。
【００４４】
連結部２３０は、撮影部２１０と遮蔽部材２５０とを繋ぐ第１の部分２３１と、遮蔽部材２５０に取り付けられる第２の部分２３２と、駆動部２２０のスライダー２２２と第２の部分２３２とを繋ぐ第３の部分２３３とを含む。
【００４５】
第１の部分２３１は、複数のねじ８１により遮蔽部材２５０に取り付けられる第１の板部分２３１Ａ、および、第１の板部分２３１Ａと繋がり撮影部２１０を支持する第２の板部分２３１Ｂを含む。
【００４６】
第２の部分２３２は、複数のねじ８２により遮蔽部材２５０に取り付けられる板状の部材である。第２の部分２３２は、リニアガイド２１の延びる方向に沿う形状の長穴２３２Ａを有する。
【００４７】
第３の部分２３３は、第２の部分２３２の長穴２３２Ａに挿入されるスライダー２３３Ａと、スライダー２３３Ａに挿入される軸２３３Ｂと、駆動部２２０のスライダー２２２の上面に取り付けられ、軸２３３Ｂの一方の端部を支持する軸固定部２３３Ｃとを含む。軸２３３Ｂの他方の端部は、スライダー２３３Ａを貫通して遮蔽部材２５０上に位置している。
【００４８】
回転部２４０は、遮蔽部材２５０の長手方向の中央に配置された軸２４１と、軸２４１の端部を支持する軸端支持部２４２と、軸２４１を支持し、遮蔽部材２５０とともに回転する回転支持部２４３とを備える。
【００４９】
軸端支持部２４２は、軸２４１を回転不能に支持している。軸端支持部２４２は、複数のねじ８３により支持板２７０に取り付けられている。
回転支持部２４３は、軸２４１に対して回転可能であり、複数のねじ８４により遮蔽部材２５０に取り付けられている。
【００５０】
遮蔽部材２５０は、撮影部２１０が待機位置のときに支持板２７０とともに天井３１０の点検口４００を閉じる。遮蔽部材２５０は、支持板２７０のうちの長方形状に切り欠かれた穴に配置されている。遮蔽部材２５０のうちの撮影部２１０が取り付けられる面と反対側の面の色は、天井面３１０Ａと同一の色および模様、または、天井面３１０Ａと類似する色および模様であることが好ましい。
【００５１】
制御部２６０は、ユーザーが所持している外部機器から警備開始信号が入力されたことに基づき、駆動部２２０を駆動させて、撮影部２１０を図５に示される待機位置から図６に示される撮影位置に移動させ、撮影部２１０に監視領域３００Ａの撮影を開始させる。制御部２６０は、ユーザーが所持している外部機器から警備終了信号が入力されたことに基づき、撮影部２１０に監視領域３００Ａの撮影を終了させ、駆動部２２０を駆動させて、撮影部２１０を撮影位置から待機位置に移動させる。
【００５２】
支持板２７０は、点検口４００に取り付けられた枠５００に固定されている。支持板２７０は、駆動部２２０および制御部２６０を支持している。
図５および図６を参照して、監視カメラユニット２００の動作について説明する。
【００５３】
図５に示される撮影部２１０の待機位置において、第３の部分２３３の軸２３３Ｂは、第２の部分２３２の長穴２３２Ａの長手方向の端部に近い位置に位置している。このため、遮蔽部材２５０は、撮影部２１０の待機位置において、撮影部２１０の自重により軸２４１回りに回転することが、軸２３３Ｂにより規制される。
【００５４】
撮影部２１０が待機位置のときに、制御部２６０に警備開始信号が入力されたとき、制御部２６０は駆動部２２０のモータ２２５の出力軸（図示略）を第１の方向に回転させる。モータ２２５の出力軸が第１の方向に回転することにより、ボールねじ２２３が第１の方向に回転して、ナット２２４およびスライダー２２２がモータ２２５に接近する方向に移動する。このため、スライダー２２２と連結された第３の部分２３３が撮影部２１０に接近する方向に移動する。
【００５５】
長穴２３２Ａの長手方向において、第３の部分２３３の軸２３３Ｂと撮影部２１０との距離が所定距離未満となったとき、撮影部２１０の自重により遮蔽部材２５０が軸２４１回りに回転することが許容される。このため、遮蔽部材２５０、第１の部分２３１、第２の部分２３２、回転支持部２４３、および、撮影部２１０が軸２４１回りに９０°回転し、撮影部２１０が図６に示される撮影位置となる。その後、制御部２６０は撮影部２１０に撮影開始信号を送信し、撮影部２１０は、監視領域３００Ａの撮影を開始する。
【００５６】
撮影部２１０が図６に示される撮影位置のときに、制御部２６０に警備終了信号が入力されたとき、制御部２６０は撮影部２１０に撮影終了信号を送信し、撮影部２１０が監視領域３００Ａの撮影を終了する。次に、制御部２６０は駆動部２２０のモータ２２５の出力軸（図示略）を第２の方向に回転させる。モータ２２５の出力軸が第２の方向に回転することにより、ボールねじ２２３が第２の方向に回転して、ナット２２４およびスライダー２２２がモータ２５から離れる方向に移動し、第３の部分２３３が撮影部２１０から離れる方向に移動する。
【００５７】
第３の部分２３３が撮影部２１０から離れる方向に移動することにより、スライダー２２２と連結されている軸２３３Ｂが長穴２３２Ａの長手方向の端部に移動する。このため、第２の部分２３２、および、第２の部分２３２と繋がる遮蔽部材２５０が軸２４２回りに天井３１０の裏に戻る方向に回転させられる。このため、撮影部２１０が撮影位置から図５に示される待機位置に移動して停止する。
【００５８】
監視カメラユニット２００の作用および効果について説明する。
図５に示されるように、撮影部２１０が待機位置のときに遮蔽部材２５０は、点検口４００を閉じるため、撮影部２１０は監視領域３００Ａから遮蔽される。このため、例えば、監視領域３００Ａを撮影しないときに、監視領域３００Ａ内に存在する人に監視カメラユニット２００の存在が認識されにくく、不快感を与えにくい。さらに、監視領域３００Ａを含む部屋３００の意匠性が高められる。
【００５９】
また、１つの駆動部２２０で遮蔽部材２５０の移動と撮影部２１０の移動とを実現できるため、撮影部２１０が監視領域３００Ａに露出している状態と撮影部２１０が監視領域３００Ａから遮蔽されている状態とをより簡単な構成で変更できる。
【００６０】
監視カメラユニット２００によれば、上記（１）、（３）、および、（５）に準じた効果に加えて、さらに以下の効果が得られる。
（６）天井３１０の点検口４００を利用して、天井３１０の裏に制御部２６０を配置することができる。このため、天井３１０の裏を点検するための天井３１０の既存の構造を利用して、監視カメラユニット２００を配置することができる。
【００６１】
（変形例）
上記各実施形態に関する説明は本発明に従う監視カメラユニットが取り得る形態の例示であり、その形態を制限することを意図していない。本発明に従う監視カメラユニットは例えば以下に示される上記各実施形態の変形例、および、相互に矛盾しない少なくとも２つの変形例が組み合わせられた形態を取り得る。
【００６２】
・変形例の監視カメラユニット１、２００によれば、撮影部１０、２１０が待機位置のときに、部屋３００の壁の内部に位置することが可能な構造を有する。
・変形例の監視カメラユニット１によれば、遮蔽部材３０は連結部３１を有さない。この変形例においては、遮蔽部３２と撮影部１０とが接合され、駆動部２０は撮影部１０を駆動することにより、撮影部１０を撮影位置と待機位置との間で移動させる。
【００６３】
・変形例の監視カメラユニット１によれば、撮影部１０は、待機位置において、少なくとも一部が取付孔３２０から露出する。この変形例の監視カメラユニット１によれば、遮蔽部材３０の遮蔽部３２が、撮影部１０の底面に加えて側面を覆う形状である。
【００６４】
・変形例の監視カメラユニット１によれば、駆動部２０は、ボールねじ２３を用いた機構に代えて、ラックアンドピニオン機構、または、ベルト・プーリ機構等のモータ２５の回転運動をスライダー２２の直線運動に変換する機構を備える。
【００６５】
・変形例の監視カメラユニット２００によれば、連結部２３０が省略される。この変形例の監視カメラユニット２００によれば、撮影部２１０と軸２４１とが連結され、軸２４１を回転させる駆動源を備える。この変形例においては、駆動源が軸２４１を回転させることにより、撮影部２１０を待機位置と撮影位置との間で移動させる。
【００６６】
・変形例の監視カメラユニット１、２００によれば、撮影部１０、２１０は、ボックスカメラ、赤外線カメラ、防犯灯カメラ、小型カメラ、無線カメラ、または、ナイトビジョンカメラが用いられる。
【符号の説明】
【００６７】
１、２００  ：監視カメラユニット
１０、２１０：撮影部
２０、２２０：駆動部
３０、２５０：遮蔽部材
４０、２６０：制御部
６３        ：ダウンライト取付部（ダウンライトの取り付け金具）
２７０      ：支持板
３００Ａ    ：監視領域
３１０      ：天井
３００      ：取付孔
４００      ：点検口
【図１】
2018113590.tif 000003
【図２】
2018113590.tif 000004
【図３】
2018113590.tif 000005
【図４】
2018113590.tif 000006
【図５】
2018113590.tif 000007
【図６】
2018113590.tif 000008